(57)【要約】【課題】  パケットの送受信が不可能になるなどの通信障害が、加入者回線区間または通信ネットワーク内部の何れで発生しているかを判別することができる回線接続装置を提供する。【解決手段】  本発明に係る回線接続装置１００は、加入者回線が接続される光信号制御部１０１と、加入者回線を経由して通信を実行する端末側装置が接続されるＥｔｈｅｒｎｅｔ（登録商標）制御部１０７とを備え、端末側装置が送受信する送受信情報を中継する。さらに、回線接続装置１００は、光信号制御部１０１が受信する受信信号の状態を監視するレイヤ１監視部１０２と、受信信号の状態の変化が所定の条件を満足した場合、加入者回線の障害を示す加入者回線障害情報を送信する状態通知機能部１０６とを備える。【選択図】  図２
2006352484.tif 000002
【特許請求の範囲】
【請求項１】
加入者回線が接続される加入者回線接続部と、前記加入者回線を経由して通信を実行する端末側装置が接続される端末側装置接続部とを備え、前記端末側装置が送受信する送受信情報を中継する回線接続装置であって、
前記加入者回線接続部が受信する受信信号の状態を監視する受信信号状態監視部と、
前記受信信号の状態の変化が所定の条件を満足した場合、前記端末側装置接続部を介して、前記加入者回線の障害を示す加入者回線障害情報を送信する情報送信部と
を備える回線接続装置。
【請求項２】
前記送受信情報の送受信には、所定の論理通信路が用いられており、
前記論理通信路の状態を監視する論理通信路状態監視部をさらに備え、
前記情報送信部は、前記論理通信路の状態の変化が所定の条件を満足した場合、前記端末側装置接続部を介して、前記論理通信路の障害を示す論理通信路障害情報を送信する請求項１に記載の回線接続装置。
【請求項３】
前記受信信号の状態の通知を要求する状態通知要求を要求元装置から受信する状態通知要求受信部をさらに備え、
前記情報送信部は、前記状態通知要求を受信した場合、前記受信信号の状態を示す受信信号状態情報を前記要求元装置に送信する請求項１または２に記載の回線接続装置。
【請求項４】
前記加入者回線接続部は、ｘＤＳＬモデムまたは光ネットワークユニットを用いて構成されている請求項１乃至３の何れか一項に記載の回線接続装置。
【発明の詳細な説明】
【技術分野】
【０００１】
本発明は、加入者回線が接続される加入者回線接続部と、加入者回線を経由して通信を実行する端末側装置が接続される端末側装置接続部とを備え、端末側装置が送受信する送受信情報を中継する回線接続装置に関する。
【背景技術】
【０００２】
従来、加入者回線に接続して使用されるモデムや光ネットワークユニット（ＯＮＵ）などの回線接続装置では、当該加入者回線を経由して送受信されるベースバンド信号を受信しているか否かをＬＥＤやランプを用いて表示することが広く行われている。
【０００３】
また、モデム装置では、モデム信号のアイパターンを監視することによって、当該メタリック加入者回線の品質を判定する機能を具備したものが知られている（例えば、特許文献１）。
【特許文献１】特開平６−３２６７３５号公報（第７−８頁、第１図）
【発明の開示】
【発明が解決しようとする課題】
【０００４】
しかしながら、上述した従来の回線接続装置には、次のような問題があった。すなわち、上述した従来の回線接続装置では、加入者回線区間の障害と、当該加入者回線を経由してアクセスすることができる通信ネットワーク内部の障害とを切り分けることができない。
【０００５】
このため、回線接続装置に接続されているルータなどの端末側装置では、パケットの送受信が不可能になるなどの通信障害が、加入者回線区間または通信ネットワーク内部の何れで発生しているかを判別することができないといった問題があった。
【０００６】
そこで、本発明は、このような状況に鑑みてなされたもので、パケットの送受信が不可能になるなどの通信障害が、加入者回線区間または通信ネットワーク内部の何れで発生しているかを判別することができる回線接続装置を提供することを目的とする。
【課題を解決するための手段】
【０００７】
上述した課題を解決するため、本発明は、次のような特徴を有している。まず、本発明の第１の特徴は、加入者回線（加入者回線４０）が接続される加入者回線接続部（光信号制御部１０１）と、前記加入者回線を経由して通信を実行する端末側装置（例えば、ルータ５０）が接続される端末側装置接続部（Ｅｔｈｅｒｎｅｔ（登録商標）制御部１０７）とを備え、前記端末側装置が送受信する送受信情報を中継する回線接続装置（回線接続装置１００）であって、前記加入者回線接続部が受信する受信信号の状態を監視する受信信号状態監視部（レイヤ１監視部１０２）と、前記受信信号の状態の変化が所定の条件を満足した場合、前記端末側装置接続部を介して、前記加入者回線の障害を示す加入者回線障害情報を送信する情報送信部（ＭＡＣアドレス解析・制御部１０５及び状態通知機能部１０６）とを備えることを要旨とする。
【０００８】
このような特徴によれば、受信信号の状態の変化が所定の条件を満足した場合、例えば、受信信号のレベルが所定の閾値を下回った場合、加入者回線の障害を示す加入者回線障害情報を、回線接続装置に接続されている端末側装置などに送信することができる。
【０００９】
すなわち、このような特徴によれば、端末側装置において、パケットの送受信が不可能になるなどの通信障害が、加入者回線区間または通信ネットワーク内部の何れで発生しているかを判別させることができる。
【００１０】
本発明の第２の特徴は、本発明の第１の特徴に係り、前記送受信情報の送受信には、所定の論理通信路（例えば、ＰＰＰフレーム）が用いられており、前記論理通信路の状態を監視する論理通信路状態監視部（レイヤ２監視部１０３Ａ）をさらに備え、前記情報送信部は、前記論理通信路の状態の変化が所定の条件を満足した場合、前記端末側装置接続部を介して、前記論理通信路の障害を示す論理通信路障害情報を送信することを要旨とする。
【００１１】
本発明の第３の特徴は、本発明の第１または第２の特徴に係り、前記受信信号の状態の通知を要求する状態通知要求を要求元装置（例えば、ルータ５０）から受信する状態通知要求受信部（ＭＡＣアドレス解析・制御部１０５）をさらに備え、前記情報送信部は、前記状態通知要求を受信した場合、前記受信信号の状態を示す受信信号状態情報を前記要求元装置に送信することを要旨とする。
【００１２】
本発明の第４の特徴は、本発明の第１乃至第３の特徴に係り、前記加入者回線接続部は、ｘＤＳＬモデム（ｘＤＳＬモデム制御部１０１Ａ）または光ネットワークユニット（光信号制御部１０１）を用いて構成されている請求項１乃至３の何れか一項に記載の回線接続装置。
【発明の効果】
【００１３】
本発明の特徴によれば、パケットの送受信が不可能になるなどの通信障害が、加入者回線区間または通信ネットワーク内部の何れで発生しているかを判別することができる回線接続装置を提供することができる。
【発明を実施するための最良の形態】
【００１４】
（回線接続装置を含む通信ネットワークの全体概略構成）
本発明の実施形態について図面を参照しながら説明する。図１は、本実施形態に係る回線接続装置１００を含む通信ネットワークの全体概略構成である。
【００１５】
ＩＰ網１０は、ＴＣＰ／ＩＰをベースとした通信ネットワークである。ＩＰ網１０には、ＰＰＰサーバ２０、管理サーバ２５及び回線収容設備３０が接続されている。なお、ＩＰ網１０には、インターネットが含まれてもよい。
【００１６】
ＰＰＰサーバ２０は、加入者回線４０を経由して通信を実行するルータ５０とＰＰＰ（point-to-Point protocol）セッションを設定し、ルータ５０、及びルータ５０に接続されているＰＣ６０やＩＰ電話機７０のＩＰ網１０に対するアクセス許可などを実行する。
【００１７】
管理サーバ２５は、回線接続装置１００の稼働状態などを監視し、回線接続装置１００を用いて提供されるサービス（例えば、インターネット接続サービス）を管理するサーバである。
【００１８】
回線収容設備３０は、加入者回線４０を複数収容し、加入者回線４０の種類（メタリック加入者回線または光ファイバー加入者回線）に応じて、必要なインターフェース（ｘＤＳＬモデムまたは光ネットワークユニット（ＯＮＵ））を提供する。
【００１９】
回線接続装置１００は、加入者回線４０とルータ５０との間に設置され、ルータ５０（及びＰＣ６０、ＩＰ電話機７０）が送受信するＩＰパケット（送受信情報）を中継する。
【００２０】
（回線接続装置の論理ブロック構成）
次に、図２及び図３を参照して、回線接続装置１００の論理ブロック構成について説明する。図２は、回線接続装置１００の論理ブロック構成図である。また、図３は、ＰＰＰサーバ２０、回線収容設備３０、回線接続装置１００及びルータ５０におけるプロトコルスタックの一例を示している。
【００２１】
図２に示すように、回線接続装置１００は、光信号制御部１０１、レイヤ１監視部１０２、レイヤ２制御部１０３、レイヤ２監視部１０３Ａ、ブリッジ部１０４、ＭＡＣアドレス解析・制御部１０５、状態通知機能部１０６、Ｅｔｈｅｒｎｅｔ（登録商標）制御部１０７及び主制御部１０８を備えている。
【００２２】
光信号制御部１０１には、加入者回線４０、具体的には、光ファイバー加入者回線が接続される。本実施形態において、光信号制御部１０１は、加入者回線接続部を構成する。
【００２３】
レイヤ１監視部１０２は、光信号制御部１０１が受信する受信信号、つまり、ＯＳＩ第１層（レイヤ１）の状態を監視する。具体的には、レイヤ１監視部１０２は、加入者回線４０を経由して光信号制御部１０１が受信する光信号（ベースバンド信号）の受光レベル（受光量）を監視する。
【００２４】
レイヤ２制御部１０３は、ルータ５０（ＰＣ６０及びＩＰ電話機７０）が送受信するＩＰパケットを含むＯＳＩ第２層（レイヤ２）に関する制御を実行する。
【００２５】
レイヤ２制御部１０３は、光信号制御部１０１と接続されており、光信号制御部１０１において用いられるレイヤ１（光信号）に対応するレイヤ２（例えば、ＡＴＭ層）に関する制御を実行する。
【００２６】
レイヤ２監視部１０３Ａは、レイヤ２制御部１０３を介して設定されている論理通信路の状態を監視する。具体的には、レイヤ２監視部１０３Ａは、所定の時間内にＰＰＰフレームまたはＰＰＰｏＥ（ppp over Ethernet（登録商標））フレームが繰り返し送受信されているか否かを監視する。本実施形態において、レイヤ２監視部１０３Ａは、論理通信路状態監視部を構成する。
【００２７】
ブリッジ部１０４は、レイヤ２制御部１０３とＭＡＣアドレス解析・制御部１０５との間に配置されている。ブリッジ部１０４は、ＯＳＩ第２層（レイヤ２）レベルでの情報の中継（ブリッジング）を実行する。
【００２８】
ＭＡＣアドレス解析・制御部１０５は、Ｅｔｈｅｒｎｅｔ（登録商標）制御部１０７において送受信されるＥｔｈｅｒｎｅｔ（登録商標）フレームに含まれるＭＡＣアドレスを解析するとともに、Ｅｔｈｅｒｎｅｔ（登録商標）制御部１０７において送受信されるＥｔｈｅｒｎｅｔ（登録商標）フレームの中継制御（ルート制御）を実行する。
【００２９】
また、ＭＡＣアドレス解析・制御部１０５は、状態通知機能部１０６からの指示に基づいて、光信号制御部１０１に接続されている加入者回線４０の障害を示す加入者回線障害情報を送信する。
【００３０】
さらに、ＭＡＣアドレス解析・制御部１０５は、状態通知機能部１０６からの指示に基づいて、レイヤ２制御部１０３を介して設定されている論理通信路（ＰＰＰフレームまたはＰＰＰｏＥフレーム）の障害を示す論理通信路障害情報を送信する。
【００３１】
また、ＭＡＣアドレス解析・制御部１０５は、光信号制御部１０１が受信する受信信号の状態の通知を要求する状態通知要求を要求元装置（例えば、ルータ５０）から受信する。具体的には、ＭＡＣアドレス解析・制御部１０５は、ＭＡＣアドレス解析・制御部１０５宛て（例えば、ＭＡＣアドレスによって識別される）の状態通知要求をルータ５０から受信することができる。本実施形態において、ＭＡＣアドレス解析・制御部１０５は、状態通知要求受信部を構成する。
【００３２】
状態通知機能部１０６は、光信号制御部１０１が受信する受信信号の状態の変化が所定の条件を満足した場合、Ｅｔｈｅｒｎｅｔ（登録商標）制御部１０７（端末側装置接続部）を介して、ＭＡＣアドレス解析・制御部１０５に加入者回線障害情報を送信させる。
【００３３】
本実施形態では、ＭＡＣアドレス解析・制御部１０５及び状態通知機能部１０６によって、情報送信部が構成される。
【００３４】
具体的には、状態通知機能部１０６は、光信号制御部１０１が受信する光信号の受光レベルが所定の閾値以下となった場合、ＭＡＣアドレス解析・制御部１０５に加入者回線障害情報を送信させる。
【００３５】
また、状態通知機能部１０６は、論理通信路（ＰＰＰフレームまたはＰＰＰｏＥフレーム）の状態の変化が所定の条件を満足した場合、Ｅｔｈｅｒｎｅｔ（登録商標）制御部１０７（端末側装置接続部）を介して、ＭＡＣアドレス解析・制御部１０５に論理通信路障害情報を送信させる。
【００３６】
具体的には、状態通知機能部１０６は、ＭＡＣアドレス解析・制御部１０５（及びブリッジ部１０４）が所定の時間、ＰＰＰフレームまたはＰＰＰｏＥフレームを中継しない場合、ＭＡＣアドレス解析・制御部１０５に論理通信路障害情報を送信させる。
【００３７】
また、状態通知機能部１０６は、レイヤ２制御部１０３が状態通知要求を受信したことを主制御部１０８から通知された場合、光信号制御部１０１における受信信号の状態（受光レベル）をレイヤ１監視部１０２及び主制御部１０８を介して取得する。さらに、状態通知機能部１０６は、光信号制御部１０１における受信信号の状態を示す受信信号状態情報を、状態通知要求を送信した要求元装置（例えば、ルータ５０）に送信する。
【００３８】
Ｅｔｈｅｒｎｅｔ（登録商標）制御部１０７は、ルータ５０が接続され、ルータ５０及びルータ５０に接続されているＰＣ６０、ＩＰ電話機７０（端末側装置）が送受信するＩＰパケットを含むＥｔｈｅｒｎｅｔ（登録商標）フレームを送受信する。
【００３９】
主制御部１０８は、回線接続装置１００を構成する各論理ブロックの動作を制御する。
【００４０】
（回線接続装置の動作）
次に、図４〜図６を参照して、上述した回線接続装置１００の動作の例について説明する。
【００４１】
（１）加入者回線障害情報の送信
図４は、回線接続装置１００による加入者回線障害情報の送信に関する動作フローを示している。図４に示すように、ステップＳ１０において、回線接続装置１００は、加入者回線４０を経由して受信する光信号の受光レベル（受光量）を測定する。
【００４２】
ステップＳ２０において、回線接続装置１００は、ステップＳ１０において測定した光信号の受光レベルが所定の閾値以上か否かを判定する。
【００４３】
光信号の受光レベルが所定の閾値未満の場合（ステップＳ２０のＮＯ）、ステップＳ３０において、回線接続装置１００は、加入者回線４０が障害であることを示す加入者回線障害情報を生成する。
【００４４】
一方、信号の受光レベルが所定の閾値以上の場合（ステップＳ２０のＹＥＳ）、回線接続装置１００は処理を終了し、所定時間が経過した後、ステップＳ１０からの処理を繰り返す。
【００４５】
ステップＳ４０において、回線接続装置１００は、生成した加入者回線障害情報を、Ｅｔｈｅｒｎｅｔ（登録商標）制御部１０７を介して、所定の宛先（例えば、ルータ５０）に送信する。
【００４６】
（２）論理通信路障害情報の送信
図５は、回線接続装置１００による論理通信路障害情報の送信に関する動作フローを示している。図５に示すように、ステップＳ１１０において、回線接続装置１００は、回線接続装置１００を介して設定されている論理通信路（ＰＰＰフレームまたはＰＰＰｏＥフレーム）の状態を監視する。
【００４７】
ステップＳ１２０において、回線接続装置１００は、当該論理通信路が切断されているか否かを判定する。具体的には、回線接続装置１００は、所定の時間、ＰＰＰフレームまたはＰＰＰｏＥフレームが中継されない場合、当該論理通信路が切断されていると判定する。
【００４８】
論理通信路が切断されていると判定した場合（ステップＳ１２０のＹＥＳ）、ステップＳ１３０において、回線接続装置１００は、論理通信路が障害であることを示す論理通信路障害情報を生成する。
【００４９】
一方、論理通信路が切断されていないと判定した場合（ステップＳ１２０のＮＯ）、回線接続装置１００は処理を終了し、所定時間が経過した後、ステップＳ１１０からの処理を繰り返す。
【００５０】
ステップＳ１４０において、回線接続装置１００は、生成した論理通信路障害情報を、Ｅｔｈｅｒｎｅｔ（登録商標）制御部１０７を介して、所定の宛先（例えば、ルータ５０）に送信する。
【００５１】
（３）受信信号状態情報の送信
図６は、回線接続装置１００による受信信号状態情報の送信に関する動作フローを示している。図６に示すように、ステップＳ２１０において、回線接続装置１００は、加入者回線４０の状態、具体的には、加入者回線４０を経由して受信する光信号の状態の通知を要求する状態通知要求があったか否かを判定する。
【００５２】
例えば、当該状態通知要求は、Ｅｔｈｅｒｎｅｔ（登録商標）制御部１０７に接続されているルータ５０（要求元装置）によって送信され、回線接続装置１００は、ルータ５０によって送信された状態通知要求を受信する。
【００５３】
状態通知要求があった場合（ステップＳ２１０のＹＥＳ）、ステップＳ２２０において、回線接続装置１００は、加入者回線４０を経由して受信する光信号の受光レベル（受光量）を測定する。
【００５４】
ステップＳ２３０において、回線接続装置１００は、ステップＳ２２０において測定した受光レベルに基づいて、光信号制御部１０１が受信する光信号、つまり、加入者回線４０が正常または障害であることを示す受信信号状態情報を生成する。
【００５５】
ステップＳ２４０において、回線接続装置１００は、生成した受信信号状態情報を、Ｅｔｈｅｒｎｅｔ（登録商標）制御部１０７を介して、状態通知要求を送信した要求元装置（ルータ５０）に送信する。
【００５６】
（作用・効果）
以上説明した本実施形態に係る回線接続装置１００によれば、光信号制御部１０１が受信する光信号（受信信号）の状態の変化が所定の条件を満足した場合、具体的には、受光レベルが所定の閾値を下回った場合、加入者回線４０の障害を示す加入者回線障害情報を、回線接続装置１００に接続されているルータ５０など（端末側装置）に送信することができる。
【００５７】
すなわち、回線接続装置１００によれば、ルータ５０などにおいて、ＩＰパケットの送受信が不可能になるなどの通信障害が、加入者回線４０区間またはＩＰ網１０内部の何れで発生しているかを判別させることができる。
【００５８】
回線接続装置１００によれば、論理通信路（ＰＰＰフレームまたはＰＰＰｏＥフレーム）の状態の変化が所定の条件を満足した場合、具体的には、所定の時間、ＰＰＰフレームまたはＰＰＰｏＥフレームが中継されない場合、論理通信路の障害を示す論理通信路障害情報を、ルータ５０などに送信することができる。
【００５９】
このため、ルータ５０などにおいて、ＩＰパケットの送受信が不可能になるなどの通信障害が、レイヤ１（光信号レベル）またはレイヤ２（ＰＰＰフレームまたはＰＰＰｏＥフレームなどの論理通信路）の何れのレイヤにおいて発生しているかを切り分けることができる。
【００６０】
回線接続装置１００によれば、ルータ５０などから状態通知要求を受信した場合、光信号制御部１０１が受信する光信号の状態を示す受信信号状態情報を、当該状態通知要求を送信したルータ５０など（要求元装置）に送信することができる。
【００６１】
このため、ルータ５０などは、必要に応じて光信号制御部１０１が受信する光信号の状態、つまり、加入者回線４０が正常または障害であるかを確認することができる。
【００６２】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００６３】
例えば、上述した回線接続装置１００は、光ファイバー加入者回線が接続される光信号制御部１０１を備えていたが、回線接続装置１００は、接続される加入者回線の種類に応じて、適宜構成を変更してもよい。
【００６４】
例えば、接続される加入者回線がメタリック加入者回線である場合、図２に示すように、光信号制御部１０１に代えて、ｘＤＳＬモデム制御部１０１Ａを備えることができる。また、回線接続装置１００は、上述した光ファイバー加入者回線やメタリック加入者回線に加え、同軸ケーブルなどを用いるＣＡＴＶ伝送回線に対応するように構成することもできる。
【００６５】
上述した回線接続装置１００では、主制御部１０８を介してレイヤ１監視部１０２と状態通知機能部１０６とが情報（例えば、加入者回線障害情報）を送受信する形態としたが、図２において点線で示すように、レイヤ１監視部１０２と状態通知機能部１０６とが直接情報を送受信するように構成してもよい。
【００６６】
上述した回線接続装置１００では、論理通信路として、ＰＰＰフレームまたはＰＰＰｏＥフレームを監視する形態としたが、回線接続装置１００は、ＰＰＰフレームまたはＰＰＰｏＥフレームではなく、ＭＡＣフレームまたはＡＴＭセルを監視する形態としてもよい。
【００６７】
上述した回線接続装置１００では、光信号制御部１０１が受信する光信号の受光レベルが所定の閾値以上であるか否かに基づいて、加入者回線４０が正常か障害かを判定する形態としたが、加入者回線４０が正常か障害かの判定は、これに限定されるものではない。例えば、回線接続装置１００は、受光レベルが所定の閾値未満となる状態が所定時間以上連続した場合に加入者回線４０を障害と判定してもよい。
【００６８】
上述した回線接続装置１００では、ＭＡＣアドレス解析・制御部１０５がＭＡＣアドレスに基づいて制御を実行する形態としたが、回線接続装置１００は、ＭＡＣアドレスではなく、ＩＰアドレスに基づいて、ＩＰパケットの中継制御（ルート制御）を実行してもよい。
【００６９】
また、上述した本発明の実施形態では、ルータ５０に受信信号状態情報を送信する形態としたが、受信信号状態情報は、回線接続装置１００の稼働状態などを監視する管理サーバ２５に送信するようにしてもよい。
【００７０】
さらに、上述した本発明の実施形態では、図３に示したように、ＰＰＰｏＥを用いる形態としたが、ＰＰＰｏＥに代えて、ＰＰＰｏＡ（ppp over ATM）などを用いることもできる。
【００７１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７２】
【図１】本発明の実施形態に係る回線接続装置を含む通信ネットワークの全体概略構成図である。
【図２】本発明の実施形態に係る回線接続装置の論理ブロック構成を示す図である。
【図３】本発明の実施形態に係る回線接続装置などにおけるプロトコルスタックの一例を示す図である。
【図４】本発明の実施形態に係る回線接続装置の動作フローを示す図である。
【図５】本発明の実施形態に係る回線接続装置の動作フローを示す図である。
【図６】本発明の実施形態に係る回線接続装置の動作フローを示す図である。
【符号の説明】
【００７３】
１０…ＩＰ網、２０…ＰＰＰサーバ、２５…管理サーバ、３０…回線収容設備、４０…加入者回線、５０…ルータ、６０…ＰＣ、７０…ＩＰ電話機、１００…回線接続装置、１０１…光信号制御部、１０１Ａ…ｘＤＳＬモデム制御部、１０２…レイヤ１監視部、１０３…レイヤ２制御部、１０３Ａ…レイヤ２監視部、１０４…ブリッジ部、１０５…ＭＡＣアドレス解析・制御部、１０６…状態通知機能部、１０７…Ｅｔｈｅｒｎｅｔ（登録商標）制御部、１０８…主制御部
【図１】
2006352484.tif 000003
【図２】
2006352484.tif 000004
【図３】
2006352484.tif 000005
【図４】
2006352484.tif 000006
【図５】
2006352484.tif 000007
【図６】
2006352484.tif 000008